(57)【要約】【課題】毛髪を牽引せずに即ち痛みや不快感を感じることがなく且つ周囲の人に器具を使用してフェイスリフトを行っていることを分らせることがない、フェイスリフト用美容具を得る。【解決手段】第一発明として、略中間部において長さ調節可能な係止具を設けて連設したワイヤーの両端部に、表面に人工毛髪を接着するとともに裏面に粘着シートを接着したベース板を個々に固設して構成する。第二発明として、加熱により長さ調節可能な熱収縮性樹脂ベルト又はゴムベルトの両端部に、表面に人工毛髪を接着するとともに裏面に粘着シートを接着したベース板を個々に固設して構成する。第三発明として、一対の粘着シートに毛髪又は人工毛髪を接着し、前記毛髪又は人工毛髪の一部を束ね又は太くして太毛髪部を形成し、長さ調節可能な係止具にて前記太毛髪部を連設可能に構成する。【選択図】図１
2008036368.tif 000002
【特許請求の範囲】
【請求項１】
第一発明として、長さ調節可能な係止具を略中間部に設けて連設したワイヤーの両端部において、表面に毛髪又は人工毛髪を接着するとともに裏面に粘着シートを接着したベース板を個々に固設して構成することを特徴とした、フェイスリフト用美容具。
【請求項２】
第二発明として、加熱により長さ調節可能な熱収縮性樹脂ベルト又はゴムベルトの両端部において、表面に毛髪又は人工毛髪を接着するとともに裏面に粘着シートを接着したベース板を個々に固設して構成することを特徴とした、フェイスリフト用美容具。
【請求項３】
第三発明として、一対の粘着シートに毛髪又は人工毛髪を接着し、前記毛髪又は人工毛髪の一部を束ね又は太くして太毛髪部を形成し、長さ調節可能な係止具にて前記太毛髪部を連設可能に構成することを特徴とした、フェイスリフト用美容具。
【発明の詳細な説明】
【技術分野】
【０００１】  本発明は、目じりの皺やたるみを手術に拠らなくとも目立たなくさせることができる、フェイスリフト用美容具に関するものである。
【背景技術】
【０００２】  顔面における皮膚は加齢とともに老化し、各所に皺やたるみが増えてくる。特に目じりの皺やたるみは、その人の年齢を周囲に感じさせ易いため、女性にあっては化粧を施して目立たなくさせようとするが、大きな皺やたるみは隠すことができないものである。【０００３】  このような目じりの皺やたるみを除去して目立たなくさせるためには、美容外科等においてフェイスリフト手術を施す方法があるが、該美容外科等における手術費用は非常に高額であり、フェイスリフト手術の場合では１００万円前後も掛かるため、安易に手術を受けることができなかった。【０００４】  このため、目じりの皺やたるみを手術に拠らなくとも目立たなくさせる方法が特許公報において幾つか提案されている。例えば、特開２００４−１６３７９号公報の『フェースリフトアップ器具』では、皺を伸ばすためのフェースリフトアップを簡単迅速に行うため、毛髪の束をクリップ体にて保持し、該クリップ体の後部にあるフック掛け部にリフトバンドを係着して毛髪を牽引することにより皺が伸ばされる器具について記載されている。また、実用新案登録第３０４３５１７号公報の『皺伸ばし具』では、顔面や首筋などに生じた皺を目立たなくさせるため、弾性を有したベルトの両端部に粘着シートを貼り付けるベース板を設け、前記粘着シートを皮膚に接着してベルトの弾性により長さ方向に引っ張ることにより皺を伸ばすことができる器具について記載されている。また、実用新案登録第３０８３２３６号公報の『顔面のたるみやシワを目立たなくさせるための美容補助用具』では、顔面のたるみや皺を目立たなくさせるため、ゴム並びに伸縮可能性のある素材を使用した連結体の両端に毛髪を結ぶための係止具と髪の結び目を隠すためのクシ等を取り付け、前記係止具で髪を結び連結体で引っ張り上げて顔面のたるみや皺も同様に引っ張ることができる器具について記載されている。【０００５】
【特許文献１】特開２００４−１６３７９
【特許文献２】実用新案登録第３０４３５１７号
【特許文献３】実用新案登録第３０８３２３６号
【発明の開示】
【発明が解決しようとする課題】
【０００６】  しかしながら、上記特開２００４−１６３７９号公報記載のものは、フェイスリフトを行うために自分のこめかみ部の毛髪をクリップ体に挟んで保持し、リフトバンドを前記クリップ体の後部にあるフック掛け部に係着して毛髪を牽引する方法のため、長時間の使用により牽引されている毛髪の毛根部に痛みや不快感を感じてしまうという問題点があった。また、クリップ体やリフトバンドが大きくて目立つため、例え装飾を施しても器具を使用してフェイスリフトを行っていることが周囲の人に分ってしまうという問題点もあった。また、実用新案登録第３０４３５１７号公報記載のものは、弾性を有したベルトの両端部に粘着シートを貼り付けるベース板を設け、前記粘着シートを皮膚に接着してベルトの弾性により皮膚を引っ張る方法のため、長時間の使用でも痛みや不快感を感じることはないが、前記公報と同様にベース板やベルトが大きくて目立つため、器具を使用してフェイスリフトを行っていることが周囲の人に分ってしまうという問題点があった。また、実用新案登録第３０８３２３６号公報記載のものは、ゴム並びに伸縮可能性のある素材を使用した連結体の両端に毛髪を結ぶための係止具と髪の結び目を隠すためのクシ等を取り付け、前記係止具で髪を結び連結体で引っ張り上げる方法のため、前記公報と同様に長時間の使用により牽引されている毛髪の毛根部に痛みや不快感を感じてしまうという問題点があった。【０００７】  本発明は、上記問題点を解決するために成されたものであり、目じりの皺やたるみを手術に拠らなくとも目立たなくさせる美容具であって、自分の毛髪を牽引せずに即ち痛みや不快感を感じることがなく且つ周囲の人に器具を使用してフェイスリフトを行っていることを分らせることがない、フェイスリフト用美容具を提供することを目的とする。
【課題を解決するための手段】
【０００８】  上記課題を解決するため、本発明のフェイスリフト用美容具の第一発明は、長さ調節可能な係止具を略中間部に設けて連設したワイヤーの両端部において、表面に毛髪又は人工毛髪を接着するとともに裏面に粘着シートを接着したベース板を個々に固設して構成する。【０００９】  また、本発明のフェイスリフト用美容具の第二発明は、加熱により長さ調節可能な熱収縮性樹脂ベルト又はゴムベルトの両端部において、表面に毛髪又は人工毛髪を接着するとともに裏面に粘着シートを接着したベース板を個々に固設して構成する。【００１０】  また、本発明のフェイスリフト用美容具の第三発明は、一対の粘着シートに毛髪又は人工毛髪を接着し、前記毛髪又は人工毛髪の一部を束ね又は太くして太毛髪部を形成し、長さ調節可能な係止具にて前記太毛髪部を連設可能に構成する。【００１１】  上記フェイスリフト用美容具は、粘着シートを耳殻裏側の毛の生えていない頭部両側面に貼着し、第一発明におけるワイヤー若しくは第二発明における熱収縮性樹脂ベルト又はゴムベルト若しくは第三発明における太毛髪部にて皮膚を引っ張り、当該フェイスリフト用美容具の毛髪又は人工毛髪は自分の毛髪とともにカットやセットする。なお、フェイスリフト用美容具の毛髪とは、かつら用の毛髪を指すものである。
【発明の効果】
【００１２】  本発明のフェイスリフト用美容具によれば、自分の毛髪を牽引することなく粘着シートにより耳殻裏側の毛の生えていない頭部両側面の皮膚を引っ張る方法のため長時間の使用でも痛みや不快感を感じることがなく、更に前記粘着シートの表面が毛髪又は人工毛髪のため自分の毛髪と馴染んで区別が付かなく、周囲の人に器具を使用してフェイスリフトを行っていることを分らせることがないという絶大なる効果を奏する。
【発明を実施するための最良の形態】
【００１３】  本発明を実施するための最良の形態を図を用いて説明する。【００１４】  図１は本発明のフェイスリフト用美容具の第一発明による外観模式図であり、図２は図１及び図５におけるＡ−Ａ拡大断面図である。該図に示すように、第一発明のフェイスリフト用美容具は、長さ調節可能な係止具５を略中間部に設けて連設したワイヤー４，４の両端部において、表面に毛髪又は人工毛髪２を接着するとともに裏面に粘着シート３を接着したベース板１，１を個々に固設して構成する。【００１５】  また、図５は本発明のフェイスリフト用美容具の第二発明による外観模式図であり、図２は図１及び図５におけるＡ−Ａ拡大断面図である。該図に示すように、第二発明のフェイスリフト用美容具は、加熱により長さ調節可能な熱収縮性樹脂ベルト又はゴムベルト１０の両端部において、表面に毛髪又は人工毛髪２を接着するとともに裏面に粘着シート３を接着したベース板１，１を個々に固設して構成する。【００１６】  また、図７は本発明のフェイスリフト用美容具の第三発明による外観模式図であり、図８は図７におけるＡ−Ａ拡大断面図である。該図に示すように、第三発明のフェイスリフト用美容具は、一対の粘着シート３に毛髪又は人工毛髪２を接着し、前記毛髪又は人工毛髪２の一部を束ね又は太くして太毛髪部１１を形成し、長さ調節可能な係止具５ａにて前記太毛髪部１１を連設可能に構成する。【００１７】  上記第一発明におけるワイヤー４，４は、周囲の人に器具を使用してフェイスリフトを行っていることを分らせないようにするため、ステンレス等のスチールワイヤーが好適であり、黒等の色に着色したものであれば更に好適となる。または透明なテグスを使用しても良い。【００１８】  また、図３は本発明のフェイスリフト用美容具の第一発明で用いる係止具の一実施例の内部構造図である。該図に示すように、係止具５は一方のワイヤー４（図では右側のワイヤー）の先端部に固着され、該係止具５に挿通された穴６に他方のワイヤー４（図では左側のワイヤー）を図中矢印ａ方向に挿通することができる構造となっている。また、穴６の略中央部には鋭角な先端部を有したストッパー７が固設され、挿通したワイヤー４が図中矢印ｂ方向に戻るのを防止している。このため、該係止具５により使用する人の頭の大きさや状態に応じてワイヤー４，４の長さ調節が可能となる。なお、前述した係止具５の構造は一実施例に基づくものであり、同様の長さ調節機構を備えた係止具は、本発明の範疇にすべて含むものである。【００１９】  上記第二発明における熱収縮性樹脂ベルト又はゴムベルト１０において、該ベルトが熱収縮性樹脂ベルトの場合は、加熱することにより収縮して長さ調節可能なフッ素樹脂等で成形された樹脂ベルトを使用し、周囲の人に器具を使用してフェイスリフトを行っていることを分らせないようにするため、黒等の色に着色したものが好適である。該熱収縮性樹脂ベルトの長さ調節を行う場合は、使用する人の頭の大きさや状態に応じ、ドライヤー等で熱風を当てて使用前に長さ調節を行っておく。また、該ベルトが伸縮自在なゴムベルトの場合も、周囲の人に器具を使用してフェイスリフトを行っていることを分らせないようにするため、黒等の色に着色し���ものが好適である。【００２０】  上記第一発明乃至第三発明における毛髪又は人工毛髪２は、先端部をベースに接着したものであり、例えばアートネイチャー社のヘア・フォーライフ（登録商標）やプロピア社のヘアコンタクト（登録商標）等が好適であるが、同等の構造を有したものであれば特に限定するものではない。なお、第一発明及び第二発明における毛髪又は人工毛髪２を接着したベース板１並びに第三発明における毛髪又は人工毛髪２を接着した粘着シート３の大きさや形状は任意であって構わない。更には前記毛髪又は人工毛髪２の長さも任意であって構わなく、長めに設定しておけば使用する人の髪型に合せて自由にカットやセットすることもできる。また、第三発明における太毛髪部１１の位置も任意であって構わない。【００２１】  また、図６は本発明のフェイスリフト用美容具の第一発明の他の実施例による外観模式図であり、長さ調節可能な係止具５を略中間部に設けて連設したワイヤー４，４を２組備え、前記ワイヤー４，４及びワイヤー４ａ，４ａの両端部において、表面に毛髪又は人工毛髪２を接着するとともに裏面に粘着シート３を接着したベース板１，１を個々に固設して構成する。該構成であれば１個のフェイスリフト用美容具にて同時に２方向より皮膚を引っ張ることができ、効果的に皺やたるみを伸ばすことができる。なお、第二発明及び第三発明においても同様である。
【実施例】
【００２２】  本発明の実施例を使用方法を説明した図に基づいて説明する。【００２３】  図４は本発明のフェイスリフト用美容具の第一発明を装着した状態図である。該図に示すように、まずフェイスリフト用美容具の一対のベース板１の裏面の粘着シート３を耳殻裏側の毛の生えていない頭部両側面に貼着する。該粘着シート３の貼着位置は、使用する人の頭の大きさ及び皺やたるみの位置に応じて任意な位置で良い。また、自分の毛髪が邪魔になるようであれば、その部分を剃って貼着しても良い。更には使用する人の皺やたるみの程度により複数箇所に貼着しても良い。図４では２ヶ所に貼着した状態を示している。【００２４】  次にワイヤー４，４にて皮膚を引っ張るようにする。この場合、図３で説明した係止具５により長さ調整を行って引っ張り強さを調整する。皮膚を引っ張る方向は、使用する人の皺やたるみの位置や状態に応じて任意で良い。図４では耳殻８の上方に貼着したフェイスリフト用美容具のワイヤー４により上方に皮膚を引っ張り、耳殻８の上方後部に貼着したフェイスリフト用美容具のワイヤー４により後方に皮膚を引っ張っている。【００２５】  また、図９は本発明のフェイスリフト用美容具の第一発明の他の実施例を装着した状態図であり、上記と同様にフェイスリフト用美容具の一対のベース板１の裏面の粘着シート３を耳殻裏側の毛の生えていない頭部両側面に貼着する。【００２６】  次にワイヤー４，４ａにて皮膚を引っ張るようにする。この場合も、図３で説明した係止具５により長さ調整を行って引っ張り強さを調整する。皮膚を引っ張る方向は、使用する人の皺やたるみの位置や状態に応じて任意で良く、図４と同様に耳殻８の上方に貼着したフェイスリフト用美容具のワイヤー４により上方に皮膚を引っ張り、更にワイヤー４ａにより後方に皮膚を引っ張っている。【００２７】  このとき、ワイヤー４，４ａを髪９の内部に隠し、更には使用する人の髪型に合せて毛髪又は人工毛髪２を髪９とともにカットやセットすれば、前記ワイヤー４，４ａは外部からは分からなくなり、毛髪又は人工毛髪２を貼着したベース板１も元々自毛と区別が付かずに分からないため、周囲の人に器具を使用してフェイスリフトを行っていることを分らせることもなく、目じりの皺やたるみを目立たなくさせることができることになる。なお、第二発明及び第三発明においても同様である。
【図面の簡単な説明】
【００２８】
【図１】本発明のフェイスリフト用美容具の第一発明による外観模式図である。
【図２】図１及び図５におけるＡ−Ａ拡大断面図である。
【図３】本発明のフェイスリフト用美容具の第一発明で用いる係止具の一実施例の内部構造図である。
【図４】本発明のフェイスリフト用美容具の第一発明を装着した状態図である。
【図５】本発明のフェイスリフト用美容具の第二発明による外観模式図である。
【図６】本発明のフェイスリフト用美容具の第一発明の他の実施例による外観模式図である。
【図７】本発明のフェイスリフト用美容具の第三発明による外観模式図である。
【図８】図７におけるＡ−Ａ拡大断面図である。
【図９】本発明のフェイスリフト用美容具の第一発明の他の実施例を装着した状態図である。
【符号の説明】
【００２９】    １  ベース板
２  毛髪又は人工毛髪
３  粘着シート
４  ワイヤー
５  係止具
６  穴
７  ストッパー
８  耳殻
９  髪
１０  熱収縮性樹脂ベルト又はゴムベルト
１１  太毛髪部
【図１】
2008036368.tif 000003
【図２】
2008036368.tif 000004
【図３】
2008036368.tif 000005
【図４】
2008036368.tif 000006
【図５】
2008036368.tif 000007
【図６】
2008036368.tif 000008
【図７】
2008036368.tif 000009
【図８】
2008036368.tif 000010
【図９】
2008036368.tif 000011